(57)【要約】      （修正有）【課題】別設置洗浄液再生リサイクル装置を必要としない簡素で安価な洗浄機構で精密洗浄が出来る洗浄洗浄装置を提供する。【解決手段】洗浄用回転ドラム１内スパイラル状送りフイン７Ａにて洗浄物８Ａを移送中に加熱機Ｈ１にて高温に加熱された洗浄液で洗浄して洗浄度を高め、ススギ用回転ドラム３内をスパイラル状送りフイン７Ｂにて洗浄物８Ｂが移送中に洗浄液タンク１３の洗浄液を加熱機Ｈ２にて加熱し蒸気とし、これをススギ用蒸気２０として蒸気ススギを行い、ススギ完了後の蒸気を冷却器１９Ａおよび１９Ｂにて冷却して、浄水ススギ液としてススギ液タンク２１Ｃに保存、一定量取出し洗浄液タンク２１Ｂに戻す。この一定量分に規定濃度の洗浄液１３となるよう一定量の洗浄剤を洗浄液タンクに附加し、洗浄液とする。汚物はスラッジとして取出す。【選択図】図１
2005230792.tif 000002
【特許請求の範囲】
【請求項１】
１つの回転共軸を軸とする、ほぼ円筒状の洗浄用回転ドラムと、これに連接して水切り用回転ドラムを形成すると共に、内周面に連続してスパイラル状送りフインを形成し、回転軸に沿って回転させる回転駆動装置を有する洗浄機能装置と、ほぼ円筒状のススギ用回転ドラムと、これに連接して水切り用回転ドラムおよび乾燥用回転ドラムを形成すると共に、内周面に連続してスパイラル状送りフインを形成し、回転軸に沿って回転させる回転駆動装置を有するススギ機能装置を形成し、洗浄機能装置の先端即ち水切り用回転ドラムの１部を、ススギ機能装置のススギ用回転ドラムに、洗浄品の受け渡しができのように形成した事を特徴とする洗浄装置。
【請求項２】
請求項１に於いて回転共軸を水平とし、ほぼ円筒状の洗浄用回転ドラムと、これに連接して先端部を先細状に縮径した水切り用回転ドラムを形成すると共に、内周面に連続してスパイラル状送りフインを形成し、回転軸に沿って回転駆動装置を有する洗浄機能装置と、ほぼ円筒状のススギ用回転ドラムと、これに連接して先端部を先細状に縮径した水切り用回転ドラムおよび乾燥用回転用ドラムを形成すると共に、内周面に連続してスパイラル状送りフインを形成し、回転軸に沿って回転させる回転駆動装置を有するススギ機能装置を形成し、洗浄機能装置先端水切り用回転ドラムの１部を、ススギ装置のススギ用回転ドラムに、洗浄品の受け渡しができるように形成した事を特徴とする洗浄装置。
【請求項３】
請求項１および請求項２において、洗浄用回転ドラム内に、複数の噴射口を有するノズルを形成し、洗浄液タンクの洗浄液を高温（蒸気を含む）に加熱噴射し洗浄し、またススギ用回転ドラム内に、複数の噴射口を有するノズルを形成し、洗浄液タンクの洗浄液を蒸気化（高温を含む）し蒸気を噴射してススギを行い、ススギ済み蒸気を冷却し、液化する事を特徴とする洗浄装置
【請求項４】
請求項１および請求項２において、乾燥用回転ドラムは２重ドラム構造とし、内筒は乾燥エアー噴射用として複数のスリットを形成し、外筒は回転せず、乾燥エアーを内筒スリットに供給する構造とし、洗浄品の乾燥を容易ならしめる事を特徴とする洗浄装置。
【請求項５】
請求項１から請求項４において、洗浄機能装置用洗浄液タンクおよびススギ機能装置用ススギ液タンクをを有し、洗浄液タンクは洗浄液をリザーブし、ススギ液タンクはススギ済み蒸気を冷却し、液化したススギ液を浄水としてリザーブする。浄水ススギ液がススギ液リザーブタンク、水量センサー上限に達した時点で、センサー計測により、一定量浄水ススギ液を洗浄液タンクに戻す。この一定量に対応した定量の洗浄剤を洗浄液タンクに投入し、洗浄液の洗浄剤濃度を一定に保ち、洗浄力を保持させる。これは洗浄サイクルが即洗浄液再生サイクルとなっている事を示している。洗浄液サイクルを洗浄液再生サイクルとしたことを、特徴とする洗浄装置。
【請求項６】
請求項１および請求項２において、洗浄用回転ドラム内に棒状または角状の超音波発振器を形成する洗浄装置。
【請求項７】
請求項１から請求項６に於いて、洗浄機能装置を所定の角度に傾け、底面に回転盤を有する底板を形成し、洗浄液の供給および排出させる。洗浄機能装置は洗浄品の投入に支障がないよう、前後移動および旋回が出来る事を特徴とする洗浄装置。
【請求項８】
請求項７において洗浄用回転ドラム内部に同軸で、内面に連続してスパイラル状送りフインを形成した穴付き回転ドラムを形成する。内部に洗浄液噴射ノズルおよび乾燥用ノズルを形成し、洗浄および乾燥を行なう。ドラムを洗浄品排出方向へ回転させ、洗浄完了品を自動排出し、本洗浄装置単独にて洗浄装置とする事を特徴とする洗浄装置。
【発明の詳細な説明】
【発明の詳細な説明】
【発明の属する分野】
【０００１】この発明は、金属加工品やプラスチック成型品等の工業製品や、食品あるいは果実、穀物類の食品類などの被洗浄物を洗浄するに関する。
【背景技術】
【０００２】
【０００３】従来の洗浄作業では、洗浄用籠に洗浄品を大量に入れて、同時に洗浄する方式がほとんどである。このため洗浄液およびススギ液の洗浄品重なり部分への、浸透性が悪く、これらの欠点を補うため洗浄用籠の揺動、回転による洗浄品の分離攪拌および超音波等の外力附加を行い洗浄性の向上に努めている。また乾燥においても、乾燥性向上のため、真空装置による減圧乾燥装置の必要がある。環境対策のための洗浄液再生リサイクルについても、洗浄槽内於いて、洗浄用籠による洗浄品大量同時洗浄の機構から、再生リサイクル装置を別途用意しなければならない。また洗浄物同士のぶつかり合いなどでキズ、変形が発生することは避けられない。【０００４】また従来の回転ドラム方式洗浄装置では洗浄工程から乾燥工程に移行させるために、例えば回転ドラムを上方に傾斜させて配置し、洗浄品が回転ドラム内で送られながら洗浄槽から浮上させ水切りおよび乾燥を行なっていた。しかしながら、洗浄品の大きさ、形状によっては送りフインが傾斜している関係上送り途中で洗浄品が落下してしまう不具合が生じ、変形およびダコンの原因となった。傾斜の関係上回転ドラムの長さに制限が生じ、洗浄品の大きさ、形状に制限があった。
【発明が解決しょうとする課題】
【０００５】
【０００６】洗浄槽にて、洗浄用籠に洗浄品を大量に入れて、洗浄および乾燥を行ういわゆるバッチ方式の洗浄に於いては、洗浄品が重なり合うため洗浄液およびススギ液の浸透性が悪く洗浄不良が発生し、乾燥においても乾燥不良が発生する。また洗浄物同士のぶつかり合いにより変形、キズおよび乾燥シミが発生し易い。
【０００７】使用済み洗浄液の産業廃棄は、洗浄コストの上昇と環境破壊につながる。このため洗浄液の再生リサイクルを行うが、洗浄槽内洗浄および乾燥槽内乾燥のため、洗浄液を再生リサイクルは、再生リサイクル装置を別途準備しなければならない。このため複雑な構造で大型の洗浄装置となる事が避けられない。
【０００８】回転ドラム方式では其の性質上、液きり乾燥を行なうためには回転ドラムを上方に傾斜させて、洗浄槽より浮上させる必要があった。このため洗浄方法も浸漬洗浄に限定される。また送りフインが傾斜するため洗浄品の落下、キズ変形が発生した。回転ドラム傾斜と言う機構上ドラムの長さに制限が生じ、すべてを満足させるには複雑構造、大型化が避けられなかった。
【課題を解決するための手段】
【０００９】
【００１０】請求項１に記載の洗浄装置は、１つの回転共軸を回転軸とし、ほぼ円筒状の洗浄用回転ドラムとこれに連接して水切り用回転ドラムを形成すると共に、内周面に連続してスパイラル状送りフインを形成し、回転軸に沿って回転させる駆動装置を有する装置を洗浄機能装置とし、ほぼ円筒状のススギ用回転ドラムと、これに連接して水切り用回転ドラムおよび乾燥用回転ドラムを形成し、内周面に連続してスパイラル状送りフインを形成し、回転軸に沿って回転させる回転駆動装置を有する装置をススギ乾燥機能装置とする。洗浄機能装置の水切り用回転ドラム先端の一部をススギ機能装置に、洗浄品を受け渡しが出来るように接続する事を特徴とする。請求項２に記載の洗浄装置は請求項１記載の水切り用回転ドラムの先端を先細状に縮径し、洗浄液およびススギ液を洗浄品投入口に戻す作用をさせる。洗浄品は、洗浄液又はススギ液の清浄な方向に送られながら洗浄又はススギが行われるので、高精度の洗浄精度が得られる事を特徴とする。また水平軸を基準として洗浄、ススギ及び乾燥が行われるので、洗浄品の大きさ、形状による制限がなくかつキズ変形の発生もない特徴を有する。。
【００１１】請求項１および請求項２に記載の洗浄装置に請求項３に記載してあるように、洗浄用回転ドラム内に、洗浄液噴射用ノズルをまたススギ用回転ドラム内にススギ液噴射用ノズルを形成する事を特徴とする。
【００１２】請求項１および請求項２に記載の洗浄装置に請求項５に記載してあるように、洗浄用回転ドラム内に、洗浄液噴射用ノズルから洗浄液タンク内の洗浄液を、加熱装置にて高温又は蒸気状に加熱し、噴射し洗浄する。ススギ用回転ドラム内に、ススギ液噴射用ノズルから洗浄液タンク内の洗浄液を加熱装置にて蒸気状に加熱し蒸気ススギ洗浄をする。ススギ用回転ドラム外周面をおよびドラム内に冷却装置を形成し、ススギ用蒸気を冷却して液化し、浄水ススギ液としてタンクに戻す事を特徴とする。洗浄品は高温にて洗浄されるため、付着物が溶融して除去しやすくなり洗浄を容易にし、さらに蒸気ススギは洗浄品の清浄で高精度な洗浄精度を保証する。
【００１３】請求項１および請求項２に記載の洗浄装置に請求項５に記載してあるように、浄水ススギ液を、一定量取出して一定量洗浄剤を加え、定濃度の洗浄液として、洗浄液タンクに戻す事を特徴とする。
【００１４】洗浄品を１個づつ又は洗浄に支障のない範囲の少数個を洗浄用回転ドラムに投入し洗浄を行う事を特徴とする。洗浄品の付着物の性能に応じ洗浄条件を変えられて、適正な洗浄精度が得られるようになる。
【００１５】１個又は少数個洗浄のため、洗浄品えの洗浄液およびススギ液の浸透性が良く、且つ洗浄品移送中に、送り回転摩擦により洗浄品は、揺動しながら送られる。洗浄品付着油分などは、高温洗浄液又は高温または蒸気ススギ液にて流動性がよくなり、洗浄液の洗浄性とあいまって効率の良い精密洗浄が出来る。
【００１６】請求項５に記載のように、洗浄用回転ドラムおよびススギ用回転ドラムを使用し、ドラム内で、洗浄およびススギを行う特徴を有するので、安全に高温洗浄および蒸気ススギが採用出来る。この蒸気は洗浄品の清浄度および洗浄精度を上げるのみでなく、冷却することで液化し浄水ススギ液とし、これを一定量を取出し、これに一定量の洗浄剤を加えて規定濃度の洗浄液として洗浄液タンクに戻すことで、洗浄液再生サイクルとすることができる。１個洗いで洗浄性を高めると同時に、洗浄サイクルを洗浄液再生サイクルとする事が出来る特徴を有する。装置の小型化と低価格化を実現出来る。環境保全対策にも有効である事を特徴とする洗浄装置。
【発明を実施するための最良の形態】
【００１７】以下図１から図４にもとづいて、この発明の好適な実施形態の詳細を説明する。洗浄品として例えば機械加工品等により形成された洗浄品を洗浄する場合を例にとって説明する。【００１８】図１は、本発明による洗浄装置の実施形態を示している。洗浄用回転ドラム１に投入された、未洗浄品８Ａは歯車１１Ａを介し駆動用モータ１０Ａにて回転駆動される洗浄用回転ドラム１および先端を縮径して、先端の一部に水平部を有する水切り用回転ドラム２Ａにより形成され、これら回転ドラム内周面に内接して連続するスパイラル状送りフイン７Ａを形成し、未洗浄品８Ａはスパイラル状送りフイン７Ａにて移送中される。洗浄液タンク２１Ｂの洗浄液１３は、ポンプＰ１により加熱機Ｈ１に送られ、高温に加熱されたのち、ノズル１５にて未洗浄品８Ａに噴射される。洗浄品８Ａは移送されながら、ノズル１５より噴射される高温に加熱された洗浄液１３にて汚物を溶融し、洗浄剤の洗浄力とあいまって効率よい洗浄が行われる。【００１９】ススギ用回転ドラム３に洗浄用水切り用回転ドラム２Ａより投入された、洗浄済みススギ用洗浄品８Ｂは歯車１１Ｂを介し駆動用モータ１０Ｂにて回転駆動されるススギ用回転ドラム３、先端を縮径し、一部を水平にした水切り用回転ドラム２Ｂおよび乾燥用回転ドラム５により構成され、これら回転ドラム内周面に内接して連続するスパイラル状送りフイン７Ｂ形成し、ススギ用洗浄品８Ｂはスパイラル状送りフイン７Ｂにより移送される。洗浄液１３をポンプＰ２により加熱機Ｈ２に送り蒸気状に加熱し、ノズル１２によりススギ用洗浄品８Ｂに噴射される。ススギ用洗浄品８Ｂは移送中に蒸気ススギが行われる。【００２０】ススギ用回転ドラム３およびススギ用水切り回転ドラム２Ｂ内外に形成した冷却器１９Ａおよび冷却器１９Ｂによりススギ完了蒸気を冷却し液化し、ススギ液浄水１４としてススギ用タンク２１Ｃに貯えられる。レベルセンサー２２によりススギ液１４上限が検知されると、ポンプＰ３によりセンサーで規定された一定量の浄水ススギ液１４は洗浄液タンク２１Ｂに送られる。この定量に適合した分の洗浄剤ＷＴがポンプＰ４により洗浄液タンク２１Ｂに注入され、洗浄液１３は適正な洗浄力が保持される。これが繰り返し行こなわれ洗浄液は常時新しい洗浄液として再生リサイクルされる。洗浄汚物はスラッジとしてスラッジタンクＳＴに貯えられて取り出される。洗浄サイクルが洗浄液再生リサイクルとなり、洗浄液再生リサイクル装置を別途用意する必要がない。【００２１】乾燥筒５のスリット６より外筒９を介し、乾燥エアー口４より注入される乾燥エアー１８を噴射してススギ用洗浄品８Ｂを乾燥する。【００２２】洗浄品８Ａおよびススギ品８Ｂは１個送り洗浄即ちスパイラル状送りフイン１ピッチ当たり洗浄品８Ａおよびススギ用洗浄品８Ｂ１個を原則とする。但し複数個とすることを妨げない。【００２３】図２は洗浄用回転ドラム１および水切り用回転ドラム２Ａを傾斜させ、底面に底板２３および回転板２４にてを形成し、未洗浄品８Ａ投入のために前後移動旋回が出来る。未洗浄品８Ａは超音波２５ならびにシャワーリングにて、洗浄用回転ドラム１および水切り用回転ドラム２Ａを、間欠的に規定の時間正転、逆転させて洗浄し、洗浄完了後スパイラル状送りフインにて洗浄品８Ａは、ススギ用回転ドラム３に送られ、ススギおよび乾燥が行われる。その外の運転は、図１と同様である。洗浄用回転ドラム１のみとして、洗浄用回転ドラム内に網または穴状ドラムを形成し、ドラム内洗浄液をバルブ開閉にて除去した後、洗浄品８Ａが底面に移送されるよう高速回転し洗浄液を除去して、ススギ用回転ドラム３に洗浄品８Ａ送り込む洗浄方式をも取ることも出来る。【００２４】図３は乾燥用回転ドラム５を使用せず相対するエアーチヤンバー２６より乾燥用エアー２７を噴射させ、洗浄品８Ｂが通過する時にエアーブローし、乾燥させる。洗浄品を強力にエアーブローしシミなし乾燥をさせるのに有効である。また複数のスリット６を洗浄品８Ｂ排出方向にα度傾けると洗浄品が排出され易い。スリットの配列は洗浄品により複数配列される。【００２５】図４は加工機１６と本は発明装置１７を連結した例を示す。【００２６】この発明は上述の実施形態に限らず、この発明の要旨を逸脱することなく種々の形態を取りうることは勿論であり、金属加工部品を洗浄する場合の他、果実類や穀物類の洗浄にも適用が出来る。また例えば図２に示す洗浄用回転ドラム１および水切り用回転ドラム２Ａを傾斜させ、底面に底板２３および回転板２４を形成し、内部にノズル１５および超音波２５を装着し、歯車１１Ａを介し駆動用モータ１０Ａにて間欠的に規定時間正転、逆転して洗浄を行い、洗浄乾燥後スパイラル状送りフイン７Ａにて洗浄物８Ａを出口に移送する。なお超音波は省いてもよい。また乾燥用回転ドラム５を省略し、図３乾燥チャンバー２６を用い乾燥させても良い。また浄水ススギ液を一定量タンクに保存し、これに規定濃度の洗浄液となるように洗浄剤を加えて洗浄液とし、洗浄液タンクにポンプで戻してもよい。
【発明の効果】
以上説明したように本発明によれば、この種類の洗浄装置で小型でありながら１個又は少数個且つ高温洗浄のため洗浄が効率よく、高い洗浄精度がいられる。特にススギ工程に於いて洗浄液を蒸発させ、蒸気でススギを行うことで、純水ススギと同等のススギ効果があり高い洗浄精度が得られる。同時にススギ済み蒸気を冷却液化し、浄水ススギ液として、一定量を取出し、これに一定量の洗剤を加えて、規定濃度の洗浄液として洗浄液タンクに戻すことを連続的に繰り返すことで、洗浄サイクルが洗浄液再生リサイクルとなり、洗浄液再生リサイクル装置を別途準備しなくとも、洗浄サイクルをそのまま洗浄液再生サイクルとすることが出来る。洗浄液は常時新鮮な洗浄力を保持し且つ環境保全、無公害化が高精度洗浄と同時に、安価にて実現出来る。
【図面の簡単な説明】
【００２７】
【図１】本発明による洗浄装置の実施形態における基本構成および作動原理を示す断面図である。
【図２】本発明に於いて洗浄部分をマトメ洗浄行う時の実施形態および作動原理を示す断面図である。
【図３】相対するチャンバーよりのエアーを噴射させエアーブローにて洗浄物を乾燥させる装置の実施形態を示す。
【図４】本発明洗浄装置と加工機を直結して使用した場合の１例である。
【符号の説明】
１      洗浄用回転ドラム
２Ａ    水切り用回転ドラム（洗浄用）
２Ｂ    水切り用回転ドラム（ススギ用）
３      ススギ用回転ドラム
４      乾燥エアー口
５      乾燥用回転ドラム
６      スリット
７Ａ    スパイラル状送りフイン（洗浄用）
７Ｂ    スパイラル状送りフイン（ススギ用）
８Ａ    洗浄品（洗浄）
８Ｂ    洗浄品（ススギ）
９      外筒
１０Ａ  駆動用モータ（洗浄用）
１０Ｂ  駆動用モータ（ススギ用）
１１Ａ  歯車（洗浄用）
１１Ｂ  歯車（ススギ用）
１２    ノズル（ススギ用）
１３    洗浄液
１４    浄水ススギ液
１５    ノズル（洗浄用）
１６    加工機
１７    本発明装置
１８    乾燥用エアー
１９Ａ  冷却装置（ラジエータ）
１９Ｂ  冷却装置（ラジエータ）
２０    ススギ用蒸気
２１    タンク
２１Ｂ  洗浄液タンク
２１Ｃ  ススギ液タンク
２２    液面センサー
２３    底板
２４    回転板
２５    超音波発振器
２６    チャンバー
２７    ブローエアー
Ｈ１    洗浄用加熱機
Ｐ１    洗浄液用ポンプ
Ｈ２    ススギ用加熱機
Ｐ２    洗浄液移送用ポンプ
Ｐ３    浄水ススギ液移送ポンプ
Ｐ４    洗浄剤移送ポンプ
ＷＴ    洗浄剤タンク
ＳＴ    スラッジタンク
【図１】
2005230792.tif 000003
【図２】
2005230792.tif 000004
【図３】
2005230792.tif 000005
【図４】
2005230792.tif 000006